(57)【要約】【課題】表示装置を分解した後に、表示パネルやバックライトユニットを再利用することが可能な表示装置を提供する。【解決手段】この液晶表示装置は、液晶表示パネル１と、液晶表示パネル１に対して光を照射するためのバックライトユニット２と、液晶表示パネル１とバックライトユニット２との間に設けられ、液晶表示パネル１およびバックライトユニット２を互いに接着するための両面テープ７とを備えている。そして、両面テープ７は、通電することにより接着強度が変化する接着剤からなり、液晶表示パネル１とバックライトユニット２の構成部材の１つとが両面テープ７を介して互いに接着された状態において、両面テープ７に電流を流すことが可能なように構成されている。【選択図】図１
2009133936.tif 000002
【特許請求の範囲】
【請求項１】
表示パネルと、
前記表示パネルに対して光を照射するためのバックライトユニットと、
前記表示パネルと前記バックライトユニットとの間に設けられ、前記表示パネルおよび前記バックライトユニットを互いに接着するための接着部材とを備え、
前記接着部材は、通電することにより接着強度が変化する接着剤からなり、
前記表示パネルと前記バックライトユニットの構成部材の１つとが前記接着部材を介して互いに接着された状態において、前記接着部材に電流を流すことが可能なように構成されていることを特徴とする表示装置。
【請求項２】
前記表示パネルと前記バックライトユニットの構成部材の１つとが前記接着部材を介して互いに接着された状態において、前記接着部材の接着面側の一部が外部に露出されていることを特徴とする請求項１に記載の表示装置。
【請求項３】
前記バックライトユニット側から見た場合に、前記接着部材の接着面側の一部が外部に露出されていることを特徴とする請求項２に記載の表示装置。
【請求項４】
前記接着部材を介して前記表示パネルに接着される前記バックライトユニットの構成部材の１つには、前記接着部材の接着面側の一部を外部に露出させるための穴部が設けられていることを特徴とする請求項３に記載の表示装置。
【請求項５】
前記接着部材を介して前記表示パネルに接着される前記バックライトユニットの構成部材の１つは、光源が収納されるケース部材であり、
前記接着部材の接着面側の一部を外部に露出させるための穴部は、前記ケース部材に形成されていることを特徴とする請求項４に記載の表示装置。
【請求項６】
前記バックライトユニットの構成部材の１つであるケース部材は、前記接着部材を介して前記表示パネルに接着される第１ケース部材と、前記第１ケース部材に取り付けられる第２ケース部材とを含んでおり、
前記接着部材の接着面側の一部を外部に露出させるための穴部は、少なくとも前記第１ケース部材に形成されていることを特徴とする請求項５に記載の表示装置。
【請求項７】
前記接着部材を介して前記表示パネルに接着される前記バックライトユニットの構成部材の１つは、金属部材からなることを特徴とする請求項１に記載の表示装置。
【発明の詳細な説明】
【技術分野】
【０００１】
この発明は、液晶表示装置などの表示装置に関する。
【背景技術】
【０００２】
従来、表示装置として、液晶の光学的性質の変化を利用して表示を行う液晶表示装置が知られている。
【０００３】
上記のような従来の液晶表示装置には、反射型液晶表示装置、透過型液晶表示装置、および、反射型液晶表示装置と透過型液晶表示装置の両方の機能を兼ね備えた半透過型液晶表示装置などが存在する。なお、反射型液晶表示装置とは、液晶表示パネルの表示面側から液晶表示パネルに入射した外光（太陽光などの自然光）を反射させることによって、液晶表示パネルの表示面に所望の画像を表示するように構成されたものである。その一方、透過型液晶表示装置とは、液晶表示パネルの表示面側とは反対側にバックライトユニットを設け、液晶表示パネルに入射したバックライト光（バックライトユニットから出射された光）を透過させることによって、液晶表示パネルの表示面に所望の画像を表示するように構成されたものである。
【０００４】
ところで、上記した従来の液晶表示装置のうち、バックライトユニットを用いる透過型液晶表示装置（半透過型液晶表示装置）は、バックライトユニットを液晶表示パネルに固定することによって、バックライトユニットから出射された光を液晶表示パネルに対して照射するように構成されている。なお、バックライトユニットを液晶表示パネルに固定する方法としては、たとえば、液晶表示パネルとバックライトユニットとの間に両面テープを配置し、その両面テープを介して液晶表示パネルおよびバックライトユニットを互いに接着するという方法がある（たとえば、特許文献１参照）。
【０００５】
【特許文献１】特開２００２−９８９４５号公報
【発明の開示】
【発明が解決しようとする課題】
【０００６】
上記した従来の方法により液晶表示パネルにバックライトユニットを固定する場合、強い接着強度（粘着強度）を有する両面テープを用いれば、その分、バックライトユニットの液晶表示パネルに対する固定を確実に行うことが可能となる。しかしながら、強い接着強度を有する両面テープを介して液晶表示パネルおよびバックライトユニットを互いに接着すると、液晶表示装置を分解する（液晶表示パネルからバックライトユニットを剥がす）際に、液晶表示パネルやバックライトユニットに大きな負荷が加わってしまう。これにより、液晶表示装置を分解する際に、液晶表示パネルが割れたり、バックライトユニットが変形したりするという不都合が発生する。その結果、液晶表示装置（表示装置）を分解した後に、液晶表示パネル（表示パネル）やバックライトユニットを再利用するのが困難になるという問題点がある。
【０００７】
この発明は、上記のような課題を解決するためになされたものであり、この発明の目的は、表示装置を分解した後に、表示パネルやバックライトユニットを再利用することが可能な表示装置を提供することである。
【課題を解決するための手段】
【０００８】
上記目的を達成するために、この発明の一の局面による表示装置は、表示パネルと、表示パネルに対して光を照射するためのバックライトユニットと、表示パネルとバックライトユニットとの間に設けられ、表示パネルおよびバックライトユニットを互いに接着するための接着部材とを備えている。そして、接着部材は、通電することにより接着強度が変化する接着剤からなり、表示パネルとバックライトユニットの構成部材の１つとが接着部材を介して互いに接着された状態において、接着部材に電流を流すことが可能なように構成されている。
【０００９】
この一の局面による表示装置では、上記のように、通電することにより接着強度（粘着強度）が変化する接着剤からなる接着部材を用いて、表示パネルおよびバックライトユニットを互いに接着することによって、表示パネルとバックライトユニットとの間の接着力が強固であったとしても、接着部材に電流を流すことにより接着部材の接着強度を弱くすれば、小さい力で表示パネルからバックライトユニットを剥がすことができる。すなわち、表示装置を分解する（表示パネルからバックライトユニットを剥がす）際に、表示パネルやバックライトユニットに加わる負荷が低減されることになる。このため、表示装置を分解する際に、表示パネルが割れたり、バックライトユニットが変形したりするという不都合が発生するのを抑制することができる。その結果、表示装置を分解した後に、表示パネルやバックライトユニットを再利用することが可能となる。
【００１０】
また、一の局面による表示装置では、上記のように、表示パネルとバックライトユニットの構成部材の１つとが接着部材を介して互いに接着された状態において、接着部材に電流を流すことが可能なように構成することによって、表示パネルとバックライトユニットとの間に接着部材が設けられていたとしても、接着部材に電流を流すことができる。
【００１１】
上記一の局面による表示装置において、表示パネルとバックライトユニットの構成部材の１つとが接着部材を介して互いに接着された状態において、接着部材の接着面側の一部が外部に露出されていることが好ましい。このように構成すれば、外部に露出する接着部材の一部を介して、接着部材に電流を流すことができる。
【００１２】
この場合、バックライトユニット側から見た場合に、接着部材の接着面側の一部が外部に露出されていることが好ましい。
【００１３】
また、上記の場合、好ましくは、接着部材を介して表示パネルに接着されるバックライトユニットの構成部材の１つには、接着部材の接着面側の一部を外部に露出させるための穴部が設けられている。このように構成すれば、たとえば、電源ボックスに接続された通電ピンを接着部材に電気的に接触させることによって接着部材に電流を流す場合、バックライトユニットの構成部材の１つに設けられた穴部に通電ピンを挿入することにより、通電ピンを接着部材の接着面側の一部に電気的に接触させることが可能となる。これにより、表示パネルとバックライトユニットとの間に接着部材が設けられていたとしても、容易に、接着部材に電流を流すことができる。
【００１４】
接着部材の接着面側の一部を外部に露出させるための穴部がバックライトユニットの構成部材の１つに設けられた構成において、好ましくは、接着部材を介して表示パネルに接着されるバックライトユニットの構成部材の１つは、光源が収納されるケース部材であり、接着部材の接着面側の一部を外部に露出させるための穴部は、ケース部材に形成されている。このように構成すれば、容易に、接着部材の接着面側の一部が外部に露出された状態にすることができる。
【００１５】
接着部材の接着面側の一部を外部に露出させるための穴部がケース部材に形成された構成において、好ましくは、バックライトユニットの構成部材の１つであるケース部材は、接着部材を介して表示パネルに接着される第１ケース部材と、第１ケース部材に取り付けられる第２ケース部材とを含んでおり、接着部材の接着面側の一部を外部に露出させるための穴部は、少なくとも第１ケース部材に形成されている。このように構成すれば、接着部材の接着面側の一部を外部に露出させるための穴部を第１ケース部材にのみ形成する場合には、第１ケース部材から第２ケース部材を取り外すことにより、接着部材の接着面側の一部を外部に露出させることができる。その一方、接着部材の接着面側の一部を外部に露出させるための穴部を第１ケース部材および第２ケース部材の両方に形成する場合には、第１ケース部材に第２ケース部材が取り付けられた状態で、接着部材の接着面側の一部を外部に露出させることができる。
【００１６】
上記一の局面による表示装置において、好ましくは、接着部材を介して表示パネルに接着されるバックライトユニットの構成部材の１つは、金属部材からなる。このように構成すれば、バックライトユニットの構成部材の１つである金属部材を介して、接着部材に電流を流すことができる。
【発明の効果】
【００１７】
以上のように、本発明によれば、表示装置を分解した後に、表示パネルやバックライトユニットを再利用することが可能な表示装置を容易に得ることができる。
【発明を実施するための最良の形態】
【００１８】
（第１実施形態）
図１は、本発明の第１実施形態による液晶表示装置の構造を説明するための分解斜視図である。図２は、図１に示した第１実施形態による液晶表示装置をバックライトユニット側から見た場合の平面図である。図３は、図２の１００−１００線に沿った断面図である。まず、図１〜図３を参照して、第１実施形態による液晶表示装置の構造について説明する。
【００１９】
第１実施形態による液晶表示装置（表示装置）は、図１および図３に示すように、液晶表示パネル（表示パネル）１と、バックライトユニット２とを少なくとも備えている。液晶表示パネル１は、マトリクス状に配列された複数の画素（図示せず）を有しているとともに、その前面（表示面）１ａに所望の画像が表示されるように構成されている。また、バックライトユニット２は、液晶表示パネル１の前面１ａ側とは反対の後面１ｂ側に設けられているとともに、液晶表示パネル１の後面１ｂ側から液晶表示パネル１の後面１ｂに対して光を照射するように構成されている。このように構成された第１実施形態の液晶表示装置では、表示動作の際に、バックライトユニット２から出射された光が液晶表示パネル１の後面１ｂに対して照射されることによって、液晶表示パネル１の前面１ａに所望の画像が表示される。
【００２０】
また、第１実施形態のバックライトユニット２は、直下型のバックライトユニットであり、光源３が液晶表示パネル１の直下に配置されるような構造を有している。このバックライトユニット２の光源３は、互いに平行になるように所定の間隔を隔てて配列された複数の細長状の冷陰極管３ａによって構成されているとともに、バックライトシャーシ４に収納されている。さらに、光源３を構成する複数の冷陰極管３ａの各々の両端部には、バックライトシャーシ４と係合するホルダ３ｂが１つずつ装着されている。そして、光源３（複数の冷陰極管３ａ）は、そのホルダ３ｂがバックライトシャーシ４に係合することによって、バックライトシャーシ４に固定される。
【００２１】
バックライトシャーシ４は、金属板によって構成されているとともに、光源３の後面側に設けられている。また、バックライトシャーシ４を構成する金属板は、凹形状になるように折り曲げられている。すなわち、バックライトシャーシ４は、底部４ａと、その底部４ａの両端部の各々に位置する一対の側部４ｂとを有していることになる。このバックライトシャーシ４に光源３が固定されると、光源３の後面側がバックライトシャーシ４の底部４ａによって覆われるとともに、光源３の側面側がバックライトシャーシ４の側部４ｂによって覆われた状態になる。なお、第１実施形態では、金属板によって構成されたバックライトシャーシ４を用いているが、バックライトシャーシ４が樹脂成形品によって構成されていてもよい。上記したバックライトシャーシ４は、本発明の「ケース部材」、「第２ケース部材」および「バックライトユニットの構成部材」の一例である。
【００２２】
また、図示しないが、バックライトシャーシ４の底部４ａおよび側部４ｂの各々の内面上には、光源３からの光を反射するための反射シートが配置されている。
【００２３】
光源３の前面側には、光学シート５が設けられている。この光学シート５は、レンズシートや拡散シートとして機能する複数のシート部材によって構成されているとともに、光源３を前面側から覆うように配置されている。これにより、光源３で生成された光は、光学シート５によって拡散（集光）されることになる。
【００２４】
光学シート５の前面側には、液晶表示パネル１を支持するための支持フレーム６が設けられている。この支持フレーム６は、枠状に連結された４つの側部６ａと、液晶表示パネル１が載置される額縁状の載置部６ｂとが一体的に形成された樹脂成形品によって構成されている。そして、支持フレーム６は、その側部６ａがバックライトシャーシ４に取り付けられることによって、バックライトシャーシ４に固定される。なお、第１実施形態では、樹脂成形品によって構成された支持フレーム６を用いているが、支持フレーム６が金属板によって構成されていてもよい。上記した支持フレーム６は、本発明の「ケース部材」、「第１ケース部材」および「バックライトユニットの構成部材」の一例である。
【００２５】
また、液晶表示パネル１とバックライトユニット２（支持フレーム６）との間には、両面テープ７が設けられている。そして、その両面テープ７を介して、液晶表示パネル１およびバックライトユニット２（支持フレーム６）が互いに接着されている。すなわち、液晶表示パネル１の背面１ｂおよび支持フレーム６の載置部６ｂ（支持フレーム６の前面）が、両面テープ７を介して互いに接着されていることになる。なお、第１実施形態では、平面的に見て長方形状の両面テープ７をバックライトユニット２（支持フレーム６）の長手方向に沿って配置しているが、両面テープ７の形状や配置位置は、バックライトユニット２の形状に応じて変更可能である。たとえば、両面テープ７の平面的な形状が、支持フレーム６の載置部６ｂに沿った形状（額縁状）であってもよい。上記した両面テープ７は、本発明の「接着部材」の一例である。
【００２６】
ここで、第１実施形態では、液晶表示パネル１とバックライトユニット２（支持フレーム６）との接着に用いる両面テープ７が、通電することにより接着強度（粘着強度）が変化する接着剤からなっている。なお、第１実施形態の両面テープ７では、たとえば、低電圧（約５Ｖ〜約５０Ｖ）で所定時間（十秒〜数分）の通電を行うと、被着体と両面テープ７との界面で電気化学反応が起こり、陽極側の接着強度が低下する。
【００２７】
また、第１実施形態では、液晶表示パネル１とバックライトユニット２の構成部材の１つ（支持フレーム６）とが両面テープ７を介して互いに接着された状態において、両面テープ７に電流を流すことが可能なように、両面テープ７の接着面側の一部７ａが外部に露出されている。
【００２８】
具体的には、第１実施形態では、バックライトシャーシ４の底部４ａに、平面的に見て円形状の穴部４ｃが形成されている。また、支持フレーム６の載置部６ｂにも、平面的に見て円形状の穴部６ｃが形成されている。このバックライトシャーシ４の穴部４ｃおよび支持フレーム６の穴部６ｃは、図２に示すように、平面的に見て、その配置位置が互いに一致しており、かつ、両面テープ７の所定部分と重なっている。これにより、液晶表示装置をバックライトユニット２側から見ると、バックライトシャーシ４の穴部４ｃおよび支持フレーム６の穴部６ｃを介して、両面テープ７の接着面側の一部７ａが外部に露出された状態となる。
【００２９】
なお、第１実施形態では、両面テープ７の接着面側の一部７ａを外部に露出させるための穴部（バックライトシャーシ４の穴部４ｃおよび支持フレーム６の穴部６ｃ）をバックライトユニット２の四隅に配置しているが、両面テープ７の接着面側の一部７ａを外部に露出させるための穴部（バックライトシャーシ４の穴部４ｃおよび支持フレーム６の穴部６ｃ）の配置位置は、両面テープ７の形状に応じて変更可能である。また、両面テープ７の接着面側の一部７ａを外部に露出させるための穴部（バックライトシャーシ４の穴部４ｃおよび支持フレーム６の穴部６ｃ）の個数や形状なども変更可能である。
【００３０】
図４は、本発明の第１実施形態による液晶表示装置を分解する際の動作を説明するための斜視図である。次に、図２〜図４を参照して、第１実施形態による液晶表示装置を分解する（液晶表示パネル１からバックライトユニット２を剥がす）際の動作について詳細に説明する。
【００３１】
液晶表示パネル１からバックライトユニット２を剥がす際には、まず、図４に示すように、電源ボックス２１を準備するとともに、その電源ボックス２１に一対の通電ピン２２を接続する。そして、両面テープ７に電流を流すために、両面テープ７に通電ピン２２を電気的に接触させる。
【００３２】
この際、図２に示すように、液晶表示装置をバックライトユニット２側から見ると、両面テープ７の接着面側の一部７ａが、バックライトシャーシ４の穴部４ｃおよび支持フレーム６の穴部６ｃを介して外部に露出された状態となっている。このため、図３に示すように、バックライトシャーシ４の穴部４ｃおよび支持フレーム６の穴部６ｃに通電ピン２２を挿入することにより、容易に、両面テープ７の接着面側の一部７ａに通電ピン２２の先端を電気的に接触させることが可能となる。
【００３３】
次に、両面テープ７に対して、低電圧（約５Ｖ〜約５０Ｖ）で所定時間（十秒〜数分）の通電を行う。このとき、被着体と両面テープ７との界面で電気化学反応が起こるので、陽極側の接着強度が低下する。この後、極性を入れ替えて、上記の条件で両面テープ７に再び電流を流す。これにより、液晶表示パネル１とバックライトユニット２との間の接着力が弱くなるので、小さい力で液晶表示パネル１からバックライトユニット２を剥がすことができる。
【００３４】
第１実施形態では、上記のように、通電することにより接着強度（粘着強度）が変化する接着剤からなる両面テープ７を用いて、液晶表示パネル１およびバックライトユニット２を互いに接着することによって、液晶表示パネル１とバックライトユニット２との間の接着力が強固であったとしても、両面テープ７に電流を流すことにより両面テープ７の接着強度を弱くすれば、小さい力で液晶表示パネル１からバックライトユニット２を剥がすことができる。すなわち、液晶表示装置を分解する（液晶表示パネル１からバックライトユニット２を剥がす）際に、液晶表示パネル１やバックライトユニット２に加わる負荷が低減されることになる。このため、液晶表示装置を分解する際に、液晶表示パネル１が割れたり、バックライトユニット２が変形したりするという不都合が発生するのを抑制することができる。その結果、液晶表示装置を分解した後に、液晶表示パネル１やバックライトユニット２を再利用することが可能となる。
【００３５】
また、第１実施形態では、上記のように、バックライトシャーシ４および支持フレーム６の各々に、両面テープ７の接着面側の一部７ａを外部に露出させるための穴部４ｃおよび６ｃを形成することによって、電源ボックス２１に接続された通電ピン２２を両面テープ７に電気的に接触させることにより両面テープ７に電流を流す場合に、バックライトシャーシ４の穴部４ｃおよび支持フレーム６の穴部６ｃに通電ピン２２を挿入すれば、通電ピン２２の先端を両面テープ７の接着面側の一部７ａに電気的に接触させることが可能となる。これにより、液晶表示パネル１とバックライトユニット２との間に両面テープ７が設けられていたとしても、容易に、両面テープ７に電流を流すことができる。
【００３６】
（第２実施形態）
図５は、本発明の第２実施形態による液晶表示装置の構造を説明するための分解斜視図である。図６は、図５に示した第２実施形態による液晶表示装置の断面図である。次に、図５および図６を参照して、第２実施形態による液晶表示装置の構造について説明する。
【００３７】
第２実施形態による液晶表示装置（表示装置）のバックライトユニット３０では、図５および図６に示すようなバックライトシャーシ３４が用いられている。なお、バックライトシャーシ３４は、本発明の「ケース部材」、「第２ケース部材」および「バックライトユニットの構成部材」の一例である。
【００３８】
具体的には、バックライトシャーシ３４は、上記第１実施形態のバックライトシャーシ４と同様、凹形状となるように形成されており、底部３４ａと一対の側部３４ｂとを有している。さらに、バックライトシャーシ３４は、その側部３４ｂが支持フレーム６の側部６ａに取り付けられることによって、支持フレーム６に固定されている。
【００３９】
ここで、第２実施形態では、上記第１実施形態と異なり、バックライトシャーシ３４には通電用の穴部が形成されていない。このため、第２実施形態では、支持フレーム６の載置部６ｂに形成された穴部６ｃのみによって通電用の穴部が構成されていることになる。
【００４０】
なお、第２実施形態のその他の構成は、上記第１実施形態と同様である。
【００４１】
上記のように構成された第２実施形態では、液晶表示装置の分解（液晶表示パネル１からのバックライトユニット３０の剥離）が以下のようにして行われる。
【００４２】
すなわち、液晶表示パネル１からバックライトユニット３０を剥がす際には、まず、支持フレーム６からバックライトシャーシ３４を取り外すことによって、図７に示す状態にする。これにより、バックライトユニット３０側から見ると、支持フレーム６の穴部６ｃを介して、両面テープ７の接着面側の一部７ａが外部に露出された状態となる。そして、支持フレーム６の穴部６ｃに通電ピン２２を挿入することにより、両面テープ７の接着面側の一部７ａに通電ピン２２の先端を電気的に接触させる。この後、両面テープ７に電流を流すことにより接着強度を低下させることによって、液晶表示パネル１と支持フレーム６との間の接着力を弱くする。その結果、小さい力で液晶表示パネル１から支持フレーム６を剥がすことが可能となる。
【００４３】
（第３実施形態）
図８は、本発明の第３実施形態による液晶表示装置の構造を説明するための分解斜視図である。図９は、図８に示した第３実施形態による液晶表示装置の断面図である。次に、図８および図９を参照して、第３実施形態による液晶表示装置の構造について説明する。
【００４４】
第３実施形態による液晶表示装置（表示装置）のバックライトユニット４０では、図８および図９に示すようなバックライトシャーシ４４および支持フレーム４６が用いられている。なお、バックライトシャーシ４４および支持フレーム４６は、本発明の「バックライトユニットの構成部材」の一例である。
【００４５】
具体的には、バックライトシャーシ４４は、上記第１実施形態のバックライトシャーシ４と同様、凹形状となるように形成されており、底部４４ａと一対の側部４４ｂとを有している。また、支持フレーム４６は、上記第１実施形態の支持フレーム６と同様、枠状に連結された４つの側部４６ａと、両面テープ７を介して液晶表示パネル１が接着される額縁状の載置部４６ｂとを有している。この支持フレーム４６は、その側部４６ａがバックライトシャーシ４４の側部４４ｂに取り付けられることによって、バックライトシャーシ４４に固定されている。
【００４６】
ここで、第３実施形態では、上記第１実施形態と異なり、バックライトシャーシ４４および支持フレーム４６のどちらにも通電用の穴部が形成されていない。このため、第３実施形態では、両面テープ７の接着面側が外部に露出していないことになる。
【００４７】
さらに、第３実施形態では、上記第１実施形態と異なり、支持フレーム４６が金属部材によって構成されている。したがって、第３実施形態では、両面テープ７と支持フレーム４６とが電気的に接触した状態となっている。
【００４８】
なお、第３実施形態のその他の構成は、上記第１実施形態と同様である。
【００４９】
上記のように構成された第３実施形態では、液晶表示装置の分解（液晶表示パネル１からのバックライトユニット４０の剥離）が以下のようにして行われる。
【００５０】
すなわち、液晶表示パネル１からバックライトユニット４０を剥がす際には、まず、図９に示すように、支持フレーム４６の側部４６ａに通電ピン２２の先端を電気的に接触させる。これにより、支持フレーム４６を介して両面テープ７に電流を流すことが可能となる。そして、この状態で両面テープ７に電流を流すことにより接着強度を低下させることによって、液晶表示パネル１と支持フレーム４６との間の接着力を弱くする。その結果、小さい力で液晶表示パネル１から支持フレーム４６を剥がすことが可能となる。
【００５１】
なお、今回開示された実施形態は、すべての点で例示であって制限的なものではないと考えられるべきである。本発明の範囲は、上記した実施形態の説明ではなく特許請求の範囲によって示され、さらに、特許請求の範囲と均等の意味および範囲内でのすべての変更が含まれる。
【００５２】
たとえば、上記実施形態では、直下型のバックライトユニットが装着された液晶表示装置に本発明を適用する例について説明したが、本発明はこれに限らず、エッジライト型の液晶表示装置にも適用可能である。なお、エッジライト型のバックライトユニットとは、液晶表示パネルの直下に導光板を配置するとともに、その導光板の所定の側端面と対向するように光源を設け、光源から導光板を介して出射された光を液晶表示パネルに対して照射するように構成されたものである。
【００５３】
また、上記実施形態では、バックライトユニットの光源として冷陰極管を用いるようにしたが、本発明はこれに限らず、発光ダイオードをバックライトユニットの光源として用いるようにしてもよい。
【図面の簡単な説明】
【００５４】
【図１】本発明の第１実施形態による液晶表示装置の構造を説明するための分解斜視図である。
【図２】図１に示した第１実施形態による液晶表示装置をバックライトユニット側から見た場合の平面図である。
【図３】図２の１００−１００線に沿った断面図である。
【図４】本発明の第１実施形態による液晶表示装置を分解する際の動作を説明するための斜視図である。
【図５】本発明の第２実施形態による液晶表示装置の構造を説明するための分解斜視図である。
【図６】図５に示した第２実施形態による液晶表示装置の断面図である。
【図７】本発明の第２実施形態による液晶表示装置を分解する際の動作を説明するための断面図である。
【図８】本発明の第３実施形態による液晶表示装置の構造を説明するための分解斜視図である。
【図９】図８に示した第３実施形態による液晶表示装置の断面図である。
【符号の説明】
【００５５】
１  液晶表示パネル（表示パネル）
２、３０、４０  バックライトユニット
３  光源
４、３４  バックライトシャーシ（ケース部材、第２ケース部材、バックライトユニットの構成部材）
４ｃ  穴部
６  支持フレーム（ケース部材、第１ケース部材、バックライトユニットの構成部材）
６ｃ  穴部
７  両面テープ（接着部材）
７ａ  接着面側の一部
４４  バックライトシャーシ（バックライトユニットの構成部材）
４６  支持フレーム（バックライトユニットの構成部材）
【図１】
2009133936.tif 000003
【図２】
2009133936.tif 000004
【図３】
2009133936.tif 000005
【図４】
2009133936.tif 000006
【図５】
2009133936.tif 000007
【図６】
2009133936.tif 000008
【図７】
2009133936.tif 000009
【図８】
2009133936.tif 000010
【図９】
2009133936.tif 000011